(57)【要約】【課題】使用済みエアゾール容器に残っている内容物放出用ガスを手間をかけずに、また確実に外部空間に排出する。【解決手段】キャップ１の取付用開口部１２とは反対側の天面２に、筒状垂下部４とすり鉢状部６からなるガス抜き用の凹部３を形成した。筒状垂下部４にはエアゾール容器４０のクリンチ部分４３ｂに係止する突状部５を形成し、すり鉢状部６の深さを非動作モードのステム４１の露出部分の長さよりも短くした。図示のガス抜きモードでは、通常使用状態のキャップ１の上下を逆さまにして、ガス抜き用凹部３の突状部５をマウンテンキャップ４３のクリンチ部分４３ｂに係合させる。このとき底面部８がステム４１を押圧しこの状態は自己保持されるので、ガス抜き処理は自動的に継続する。また、ガス抜きモードで、操作ボタンを押圧した状態に自己保持される態様のガス抜き機能を備えたキャップも開示している。【選択図】　　図２
2004075124.tif 000002
【特許請求の範囲】
【請求項１】
エアゾール容器に着脱自在な態様で取り付けられる側の開口部と、
当該開口部と対向する天井部の外面側に形成した凹状部分とを有し、
当該凹状部分に、
ガス抜き操作に基づき前記エアゾール容器に自己保持される突状部と、この自己保持状態のとき、前記エアゾール容器のステムを作動位置に設定する駆動部と、この作動位置に設定された前記ステムから出力される容器内部の残留ガスを前記開口部に送るための孔部とを備えた、
ことを特徴とするガス抜き機能を備えたエアゾール容器用キャップ。
【請求項２】
エアゾール容器に着脱自在な態様で取り付けられる側の開口部と、
当該開口部と対向する側に形成した蓋付き筒状部とを有し、
当該筒状部に、
前記蓋の開状態でのガス抜き操作に基づき前記エアゾール容器に自己保持される突状部と、この自己保持状態のとき、前記エアゾール容器のステムを作動位置に設定する駆動部とを備えた、
ことを特徴とするガス抜き機能を備えたエアゾール容器用キャップ。
【発明の詳細な説明】
【０００１】
【発明の属する技術分野】
本発明は、ガス抜き機能を備えたエアゾール容器用キャップに関し、特に内容物をほぼ使い切った後のエアゾール容器（以下、必要に応じて「使用済エアゾール容器」という。）の残留ガスを簡単・確実に外部空間に排出させる機能を備えたエアゾール容器用キャップに関する。
【０００２】
【従来の技術】
使用済みエアゾール容器にはガスが残っていることが多く、その状態で焼却されると爆発事故を起こすことがある。そのため、エアゾール容器を廃棄する前にこの残留ガスを外部空間に排出することが望ましく、これに応えるべく、ガス抜き機能を備えたエアゾール容器用キャップが提案されている。
【０００３】
図５は、従来の、ガス抜き機能を備えたエアゾール容器用キャップの説明図であり、（ａ）は当該キャップの本来の使用状態を示し、（ｂ）は当該キャップによるガス抜きモードを示している。
【０００４】
図５において、５０はガス抜き機能を備えたキャップ、５１は当該キャップの天面、５２はステム駆動用の凹部、５３は当該凹部の底面部、５４は開口部、５５は縁部、５６はガス放出用の孔部、５７は外周面、５８は後述のエアゾール容器との結合用の凸部、６０はエアゾール容器（家庭用卓上コンロのガスボンベ）、６１はステム、６２はマウンテンキャップ、６３は当該マウンテンキャップの窪み部、６４は容器本体をそれぞれ示している。
【０００５】
図５（ａ）の使用状態の場合、キャップ５０は、その外周面５７に形成した凸部５８とマウンテンキャップ６２の窪み部６３との係合により、エアゾール容器６０に取り付けられている。
【０００６】
容器本体６４の内容物を使い切ってエアゾール容器を廃棄する際には（ｂ）に示すように、
（１）キャップ５０の上下を逆にしてから、
（２）ステム駆動用の凹部５２をステム６１に嵌合させ、
（３）この嵌合状態のキャップ５０の縁部５５を指で下上方向に押圧する。
【０００７】
この押圧操作に基づき、ステム６１が凹部５２の底面部５３で押し下げられて当該ステムの弁　（図示省略）を開状態にするので、容器本体６４の残留ガスはステム６１−孔部５６−開口部５４を経て外部空間に排出される。
【０００８】
キャップ５０の縁部５５を押圧している間はステム６１が押圧されているので容器本体６４の残留ガスは排出され続ける。一方、キャップ５０の押圧操作をやめると、ステム６１はスプリング　（図示省略）の付勢力により復帰して当該ステムの弁を閉状態にするので、残留ガスの排出動作は停止してしまう。
【０００９】
【発明が解決しようとする課題】
このように、従来のガス抜き機能を備えたキャップの場合、容器内に残っているガスを完全に排出させるためにはキャップを押圧し続けなければならず、その作業が面倒であるという問題点があった。
【００１０】
また、キャップの押圧動作を止めると、ガスの排出動作は停止してしまうので利用者はガス抜き作業が完了したと思っても若干のガスがエアゾール容器内に残ったまま廃棄されることがあり、焼却処分する際に爆発事故を引き起こしかねないという問題点があった。
【００１１】
そこで本発明では、容器側と結合してステムを作動状態にする係止部をキャップに設け、当該キャップを一旦ガス抜きモードにセットすると自動的にガス抜き作業が完了するようにして、ガス抜き作業の手間を省き、またより確実に行うことを目的とする。
【００１２】
【課題を解決するための手段】
本発明はこれらの課題を次のようにして解決する。
（１）エアゾール容器用キャップ（例えば後述のキャップ１）において、エアゾール容器（例えば後述のマウンテンキャップ４３）に着脱自在な態様で取り付けられる側の開口部（例えば後述の開口部１２）と、当該開口部と対向する天井部（例えば後述の天面２）の外面側に形成した凹状部分（例えば後述のガス抜き用凹部３）とを有し、当該凹状部分に、ガス抜き操作に基づき前記エアゾール容器に自己保持される突状部（例えば後述の突状部５）と、この自己保持状態のとき、前記エアゾール容器のステム（例えば後述のステム４１）を作動位置に設定する駆動部（例えば後述の底面部８）と、この作動位置に設定された前記ステムから出力される容器内部の残留ガスを前記開口部に送るための孔部（例えば後述の孔部９）とを備える。
（２）エアゾール容器用キャップ（例えば後述のキャップ２０）において、エアゾール容器（例えば後述のマウンテンキャップ４３）に着脱自在な態様で取り付けられる側の開口部（例えば後述の開口部２１ｇ）と、当該開口部と対向する側に形成した蓋（例えば後述の蓋２２）付き筒状部（例えば後述の筒状部２１ｃ）とを有し、当該筒状部に、前記蓋の開状態でのガス抜き操作に基づき前記エアゾール容器に自己保持される突状部（例えば後述の突状部２１ｄ）と、この自己保持状態のとき、前記エアゾール容器のステム（例えば後述のステム４１）を作動位置に設定する駆動部（例えば後述の段部２１ｅ）とを備える。
【００１３】
本発明によれば、上記（１）のように、通常とは上下が逆状態のエアゾール容器用キャップの突状部を容器に係合させると、当該キャップ自体でステムをその作動位置に設定してガス抜き状態を自己保持し、これによりガス抜きの実行者がキャップを手で押圧し続ける必要をなくし、ガス抜き作業の簡単化・確実化を図っている。
【００１４】
また、上記（２）のように、蓋を固定的に閉じた通常の使用状態では従来のキャップと同様にエアゾール容器を覆い、蓋を筒状部から開けて通常とは上下が逆状態のエアゾール容器用キャップの突状部を容器に係合させると、当該キャップ自体でステムをその作動位置に設定してガス抜き状態を自己保持し、これにより十全なガス抜きを行なっている。
【００１５】
【発明の実施の形態】
図１乃至図４を用いて、本発明の実施の形態を説明する。
図１は操作ボタンなしのエアゾール容器用キャップ（その１）の説明図であり、（ａ）はキャップ単体を示し、（ｂ）は当該キャップの通常の使用状態（エアゾール容器の非作動モード）、図２は上下を逆にしたキャップをエアゾール容器に結合させた状態（ガス抜きモード）を示す説明図である。図３は操作ボタン付きエアゾール容器用キャップ（その２）の説明図であり、図３は当該キャップの通常の使用状態（エアゾール容器の非作動モード），図４は上下を逆にしたキャップをエアゾール容器に結合させた状態（ガス抜きモード）を示す説明図である。
【００１６】
これらの図において、
１はガス抜き機能を備えたキャップ（その１），２は当該キャップの天面，３はガス抜き用凹部，４は筒状垂下部，５はガス抜きモードにおいて後述のマウンテンキャップ４３（クリンチ部分４３ｂ）と嵌合する突状部，６はすり鉢状部，７は当該すり鉢状部と筒状垂下部４の間の段部，８はガス抜きモードにおいて後述のステム４１を押圧する底面部，９はガス抜き用孔部，１０はキャップ１の外周面，１１は通常使用状態において後述のマウンテンキャップ４３（窪み部４３ｃ）と係合する凸部，１２は通常の使用状態で後述のエアゾール容器に取り付けられる開口部，
２０はガス抜き機能を備えたキャップ（その２），
２１は本体部，２１ａは通常使用状態において後述のマウンテンキャップ４３（凹部４３ｄ）と係合する凸部，２１ｂは鍔状部，２１ｃは筒状部，２１ｄは後述の蓋２２（内側垂下部２２ｂ）との係合作用（通常使用状態）およびマウンテンキャップ４３（窪み部４３ｃ）との嵌合作用（ガス抜きモード）を兼ねる突状部，２１ｅはガス抜きモードにおいて後述の操作ボタン３０を押圧する段部，２１ｆはガス抜き用開口部，２１ｇは通常の使用状態で後述のエアゾール容器４０に取り付けられる開口部，
２２はガス抜きモード設定用の蓋，２２ａは外側垂下部，２２ｂは内側垂下部，２２ｃは蓋２２を本体部２１に開閉可能に取り付けるヒンジ部，
３０は操作ボタン，３０ａは縁部，３０ｂは放出用通路，３０ｃは放出口，
４０はエアゾール容器，
４１はステム，
４２はハウジング，
４３はマウンテンキャップ，４３ａはハウジング保持部，４３ｂは当該マウンテンキャップ４３をハウジング４２に取り付ける際に形成されるクリンチ部分，４３ｃは当該マウンテンキャップのカール部内側に形成された窪み部，４３ｄはマウンテンキャップのカール部外側に形成された凹部，４３ｅはマウンテンキャップのカール部上縁，４３ｆはマウンテンキャップのカール部内周面，
４４は容器本体，
Ｗ４　は筒状垂下部４の内径、
Ｈ６　はすり鉢状部６の深さ　（段部７から底面部８までの長さ）、
Ｄ２１ｃ　は内側筒状部２１ｃの外周面の直径、
Ｈ４１はステム４１の静止状態におけるその露出部分の長さ（ステム４１の先端部からマウンテンキャップ４３の上面部分までの高さ）、
Ｗ４３ａ　はマウンテンキャップ４３のハウジング保持部４３ａの外径、
Ｄ４３ｆ　はマウンテンキャップ４３のカール部内周面４３ｆの直径、
Ｈ２１ｅは鍔状部２１ｂの上面から段部２１ｅまでの長さ、
Ｄはマウンテンキャップ４３の上縁部４３ｅと操作ボタン３０の縁部３０ａ上面との間の距離、
をそれぞれ示している。
【００１７】
図１（ａ）および図１（ｂ）に示すように、キャップ１の天面２には筒状垂下部４およびすり鉢状部６などからなるガス抜き用の凹部３が形成されている。
【００１８】
ここで、
・筒状垂下部４にはマウンテンキャップ４３クリンチ部分４３ｂに対応する間隔で突状部５が形成され、
・筒状垂下部４の内径Ｗ４　は、マウンテンキャップ４３のハウジング保持部４３２ａの外径Ｗ４３ａ　と略同一であり、
・すり鉢状部６の深さＨ６　は、押圧されていないときのステム４１の（露出した部分の）長さＨ４１よりも短くなっている。
【００１９】
また、キャップ１の外周面１０には、当該キャップの取付け、取外しの際に手の掛かりが良いようにローレット加工が施されている。
【００２０】
図１（ｂ）の通常の使用状態では、キャップ１は、その凸部１１がマウンテンキャップ４３の窪み部４３ｃに係合して、ステム４１などを衝撃やごみ等から保護し、またステム４１が誤って押圧されることを防止している。
【００２１】
エアゾール容器４０の残留ガスを抜く場合は、
（１）キャップ１の外周面１０を内側に押圧して凸部１１とマウンテンキャップ４３の窪み部４３ｃとの嵌合を解除し、
（２）キャップ１をエアゾール容器４０から取り外し、
（３）取り外したキャップ１の上下を逆さまにし、
（４）ガス抜き用凹部３をステム４１の方に押し込み、
（５）ガス抜き用凹部３の突状部５をマウンテンキャップ４３のクリンチ部分４３ｂに嵌合させる。
【００２２】
この嵌合状態では、図２に示すように、段部７はマウンテンキャップ４３のハウジング保持部４３ａの上面に当接する。上述したように、すり鉢状部６の深さＨ６　はステム４１の非作動時の長さＨ４１よりも短いので、ステム４１はすり鉢状部６の底面部８で押圧される。
【００２３】
その結果、ステム４１に対する弁（図示省略）が開き、容器本体４４の残留ガスは、ステム４１−孔部９−開口部１２を経て外部空間に排出される。
【００２４】
また、筒状垂下部４の内径Ｗ４　はマウンテンキャップ４３のハウジング保持部４３ａの外径Ｗ４３ａ　と略同一なので、キャップ１の突状部５がマウンテンキャップ４３のクリンチ部分４３ｂに強く係止する。
【００２５】
この係止作用により、すり鉢状部６のステム押圧状態が自己保持されるので、利用者はガス抜きをしている間中キャップ１をエアゾール容器４０に押さえつけている必要がない。
【００２６】
すなわち、一旦前述のようにキャップ１をガス抜きモードにセットすればそのまま放置しておいても容器本体４４に残っているガスを自動的に排出させることができる。
【００２７】
ガス抜き終了後は、例えばキャップ１の外周面１０の上側部分を押してエアゾール容器４０に対して倒すようにして、キャップ１の突状部５とマウンテンキャップ４３のクリンチ部分４３ｂとの係合を解除し、キャップ１とエアゾール容器４０とを分別して廃棄すればよい。
【００２８】
なお、キャップ１をガス抜きモードに自己保持する、すなわちすり鉢状部６の底面部８でステム４１を押圧した状態を継続するための手段として、突状部５の他の任意のものを用いてもよいことは勿論である。
【００２９】
例えば、
・筒状垂下部４の内径をマウンテンキャップ４３のハウジング保持部４３ａの外径よりも少しだけ小さくする、
・筒状部４の内周面を内側方向に付勢した弾性体で形成する、
・筒状部４の内周面に複数の係止用リブを形成する、
ようにしてもよい。また、突状部を含むこれらの手段を併用してもよい。
【００３０】
図１および図２のエアゾール容器はステムに操作ボタンを取り付けていないタイプのもの（家庭用卓上コンロの携帯用ガスボンベなど）であるが、操作ボタン付きのエアゾール容器の場合は、この操作ボタンをステムから取り外した上で、上述のＨ６　とＨ２１との関係などを満たすキャップを図２と同じようにマウンテンキャップに自己保持させればよい。
【００３１】
図３および図４は操作ボタン３０を取り外すことなくガス抜きができるエアゾール容器用キャップ２０である。
【００３２】
ここで、
・筒状部２１ｃの外周面の直径Ｄ２１ｃ　は、マウンテンキャップ４３のカール部内周面４３ｆの直径Ｄ４３ｆ　と略同一であり、
・キャップ２０の鍔状部２１ｂの上面から段部２１ｅまでの長さＨ２１ｅは、マウンテンキャップの上縁部４３ｅと操作ボタンの縁部３０ａ上面との間の距離Ｄよりも長くなっている。
【００３３】
図３に示すように、キャップ２０は本体部２１と本体部２１のガス抜き用開口部２１ｆを開閉する蓋２２からなり、両者はヒンジ部２２ｃで接続されている。
【００３４】
本体部２１は、通常の使用状態でエアゾール容器４０に取り付けられる開口部２１ｇやガス抜き用開口部２１ｆなどを有し、蓋２２には、このガス抜き用開口部２１ｆを閉状態に保持する内側垂下部２２ｂや外側垂下部２２ａが設けられている。
【００３５】
キャップ２０の通常の使用状態では、本体部２１はその凸部２１ａがマウンテンキャップ４３の凹部４３ｄに係合してエアゾール容器４０に取り付けられている。
【００３６】
そして、蓋２２はその内側垂下部２２ｂが本体部２１の突状部２１ｄに係合し、外側垂下部２２ａが鍔状部２１ｂに当接して、ガス抜き用開口部２１ｅを覆い、エアゾール容器４０の操作ボタン３０などを衝撃やごみ等から保護している。
【００３７】
なお、容器本体４４の内容物を使用する（操作ボタン３０を押圧する）ときにも蓋２２は本体部２１に係合させたまま、本体部２１の凸部２１ｂとマウンテンキャップ４３の凹部４３ｄとの係合状態を解除してキャップ２２をエアゾール容器４０から取り外す。
【００３８】
エアゾール容器４０の残留ガスを抜く場合は、
（１）図３の点線で示すように、蓋２２の外側垂下部２２ａを上方向に押し上げて、内側垂下部２２ｂと本体部２１の突状部２１ｄとの係合を解除して、
（２）蓋２２を、ヒンジ部２２ｃを支点に本体部２１に対して回動してガス抜き用開口部２１ｆを露出させ、
（３）本体部２１をエアゾール容器４０に対して倒すようにして、凸部２１ａとマウンテンキャップ４３の凹部４３ｄとの係合を解除し、
（４）キャップ２０をエアゾール容器４０から取り外し、
（５）取り外したキャップ２０の上下を逆さまにし、
（６）ガス抜き用開口部２１ｆを操作ボタン３０の上側から入れていき、
（７）突状部２１ｄをマウンテンキャップ４３の窪み部４３ｃに嵌合させる。
【００３９】
なお、上述の作業手順の（１）〜（４）に代えて、まず、キャップ２０全体をエアゾール容器４０から取り外した上で、蓋２２を本体部２１に対して回動してガス抜き用開口部２１ｆを露出させてもよい。
【００４０】
図４に示すように、この嵌合状態では、
・鍔状部２１ｂはマウンテンキャップ４３の上縁部４３ｅに当接して、キャップ２０のガス抜きモードが位置決めされ、
・本体部の突状部２１ｄはマウンテンキャップの窪み部４３ｃに強く係止するとともに、段部２１ｅが操作ボタン３０の縁部３０ａを押圧し、この押圧状態が自己保持される。
【００４１】
それは、前述したように、
・内側筒状部２１の外周面の直径Ｄ２１ｃ　は、マウンテンキャップ４３のカール部内周面４３ｆの直径Ｄ４３ｆ　と略同一であり、
・キャップ２０の鍔状部２１ｂの上面から段部２１ｅまでの長さＨ２１ｅ　が、マウンテンキャップ４３の上縁部４３ｅと操作ボタン３０の縁部３０ａ上面との間の距離Ｄよりも長い、からである。
【００４２】
操作ボタン３０が押圧されたことにより、ステム４１も押圧されて弁（図示省略）が開き、容器本体４４の残留ガスは、ステム４１−操作ボタンの放出用通路３０ｂ−放出口３０ｃ−開口部２１ｆを経て外部空間に確実に排出される。
【００４３】
そして、突状部２１ｄとマウンテンキャップ４３の窪み部４３ｃとの係止作用により、段部２１ｅの操作ボタン３０押圧状態が自己保持されるので、一旦キャップ２０をガス抜きモードにセットすればそのまま放置しておいても容器本体４４に残っているガスを自動的に排出させることができる。
【００４４】
なお、前述したように、キャップ２０の本体部２１に形成した突状部２１ｄは、
・通常使用状態での蓋２２との係合作用部、
・ガス抜きモードでのマウンテンキャップ４３との嵌合作用部、
を兼ねているので、これらの作用部を別々に本体部２１に設ける必要がない。
【００４５】
しかしながら、本体部に、蓋との係合作用部およびマウンテンキャップとの嵌合作用部を別々に設けたキャップにしてもよい。このとき、蓋との係合作用部として本体部側に凹部を形成し、蓋側にこれに対応する突状部を形成してもよい。
【００４６】
また、蓋２２と本体部２１はヒンジ部２２ｃで接続せずに別体にしてもよい。この場合、ガス抜きモードでは蓋２２を本体部２１から完全に取り外し、本体部２１の突状部２１ｄをマウンテンキャップ４３の窪み部４３ｃにセットする。
【００４７】
以上のガス抜き機能を備えたキャップを用いるエアゾール式製品としては、洗浄剤，清掃剤，制汗剤，忌避剤（殺虫剤），医薬品，医薬部外品，化粧品，洗濯のりなどがある。
【００４８】
エアゾール式製品の内容物には、金属塩類粉末，無機物粉末や樹脂粉末などを用いる。例えばタルク，カオリン，アルミニウムヒドロキシクロライド（アルミ塩），硫酸バリウム，セルロース，これらの混合物などである。また、紫外線吸収剤，油性原料，界面活性剤，保湿剤，高分子化合物，酸化防止剤，金属イオン封鎖剤なども用いる。
【００４９】
エアゾール式製品の放出用ガスには、ＬＰＧ，ジメチルエーテル，フルオロカーボン，炭酸ガス，窒素ガス，圧縮空気，酸素ガス，希ガス，これらの混合ガスなどを用いる。
【００５０】
【発明の効果】
本発明では、このように、通常とは上下が逆状態のエアゾール容器用キャップの突状部を容器に係合させると、当該キャップ自体でステムをその作動位置に設定してガス抜き状態を自己保持するので、ガス抜きの実行者がキャップを手で押圧し続ける必要をなくし、ガス抜き作業の簡単化・確実化を図ることができる。
【００５１】
また、蓋を固定的に閉じた通常の使用状態では従来のキャップと同様にエアゾール容器を覆い、蓋を筒状部から開けて通常とは上下が逆状態のエアゾール容器用キャップの突状部を容器に係合させると、当該キャップ自体でステムをその作動位置に設定してガス抜き状態を自己保持するので、十全なガス抜きを行なうことができる。
【００５２】
また、キャップの自己保持用突状部をマウンテンキャップのクリンチ部分に結合させているので、従来のエアゾール容器をそのまま用いることができる。
【図面の簡単な説明】
【図１】本発明の、エアゾール容器用キャップの説明図であり、（ａ）はキャップ単体を示し、（ｂ）は当該キャップの通常の使用状態（エアゾール容器の非作動モード）を示している。
【図２】本発明の、上下を逆にした図１のキャップをエアゾール容器に結合させた状態（ガス抜きモード）を示す説明図である。
【図３】本発明の、操作ボタン付きエアゾール容器用キャップの通常の使用状態（エアゾール容器の非作動モード）を示している。
【図４】本発明の、上下を逆にした図２のキャップをエアゾール容器に結合させた状態（ガス抜きモード）を示す説明図である。
【図５】従来の、ガス抜き機能を備えたエアゾール容器用キャップの説明図であり、（ａ）は当該キャップの本来の使用状態を示し、（ｂ）は当該キャップによるガス抜きモードを示している。
【符号の説明】
１：キャップ（その１）
２：天面
３：ガス抜き用凹部
４：筒状部
５：突状部
６：すり鉢状部
７：段部
８：底面部
９：ガス抜き用孔部
１０：キャップの外周面
１１：凸部
１２：開口部
２０：キャップ（その２）
２１：本体部
２１ａ：凸部
２１ｂ：鍔状部
２１ｃ：筒状部
２１ｄ：突状部
２１ｅ：段部
２１ｆ：ガス抜き用開口部
２１ｇ：開口部
２２：蓋
２２ａ：外側垂下部
２２ｂ：内側垂下部
２２ｃ：ヒンジ部
３０：操作ボタン
３０ａ：縁部
３０ｂ：放出用通路
３０ｃ：放出口
４０：エアゾール容器
４１：ステム
４２：ハウジング
４３：マウンテンキャップ
４３ａ：ハウジング保持部
４３ｂ：クリンチ部分
４３ｃ：窪み部
４３ｄ：凹部
４３ｅ：カール部上縁
４３ｆ：カール部内周面
４４：容器本体
Ｗ４　：筒状垂下部４の内径
Ｈ６　：すり鉢状部６の深さ
Ｈ２１：非動作モードのステム２１の露出部分の長さ
Ｗ２３ａ：ハウジング保持部２３ａの外径
Ｈ２１ｅ：鍔状部２１ｂの上面から段部２１ｅまでの長さ
Ｄ２１ｃ　：内側筒状部２１ｃの外周面の直径
Ｄ４３ｆ　：マウンテンキャップ４３のカール部内周面４３ｆの直径
Ｄ：マウンテンキャップ４３の上縁部４３ｅと操作ボタン３０の縁部３０ａ上面との間の距離
【図１】
2004075124.tif 000003
【図２】
2004075124.tif 000004
【図３】
2004075124.tif 000005
【図４】
2004075124.tif 000006
【図５】
2004075124.tif 000007